(57)【要約】      （修正有）【課題】体格の違う乳幼児に合わせて又は乳幼児の成長に応じて、クッションの長さ及び設けられた窪みのサイズ調整が可能な構造の乳幼児用クッションを提供する。【解決手段】乳幼児用クッション１は、クッションの上面側に、臀部又は臀部と腰部を納めるための窪み１４を有する乳幼児用クッションであって、前記乳幼児用クッションは、水平方向へ並べて用いる二以上のクッションパーツで構成され、前記各クッションパーツは、水平方向に配置した際に相対する箇所に窪み又は切欠部を有しており、各クッションパーツの窪み又は切欠部が相対するように水平方向に配置し、各クッションパーツの間隔を調整すると、乳幼児用クッションの上面側に乳幼児の臀部又は臀部と腰部が適合して納まる形状及び大きさの窪みが形成されるものである。【選択図】図１
2013153947.tif 000002
【特許請求の範囲】
【請求項１】
クッションの上面側に、臀部又は臀部と腰部を納めるための窪みを有する乳幼児用クッションであって、
前記乳幼児用クッションは、
水平方向へ並べて用いる二以上のクッションパーツで構成され、
前記各クッションパーツは、水平方向に配置した際に相対する箇所に窪み又は切欠部を有しており、
各クッションパーツの窪み又は切欠部が相対するように水平方向に配置し、各クッションパーツの間隔を調整することにより、乳幼児用クッションの上面側に乳幼児の臀部又は臀部と腰部が適合して納まる形状及び大きさの窪みが形成される、
乳幼児用クッション。
【請求項２】
乳幼児を寝かせた際に、形成された窪みに臀部又は臀部と腰部が嵌り込んだ状態において、該乳幼児の頚椎が前弯し且つ腰椎が後弯した体勢とするために、少なくとも一のクッションパーツが他のクッションパーツよりも厚く形成されているか、または／および、寸法が大きく形成されている、
請求項１記載の乳幼児用クッション。
【請求項３】
乳幼児を寝かせた際に、形成された窪みに臀部又は臀部と腰部が嵌り込んだ状態において、該乳幼児の頚椎が前弯し且つ腰椎が後弯した体勢とするために、各クッションパーツの間隔が調整できる連結手段を有する、
請求項１又は２記載の乳幼児用クッション。
【請求項４】
乳幼児を寝かせた際に、形成された窪みに臀部又は臀部と腰部が嵌り込んだ状態において、該乳幼児の頚椎が前弯し且つ腰椎が後弯した体勢とするために、
クッションパーツが、弾性を有する部材を内包する構造であるか又は流動性固体を含んで弾力性を有する構造であって、該部材又は流動性固体が取り出し可能に設けられている、
請求項１乃至３のいずれか一項に記載の乳幼児用クッション。
【発明の詳細な説明】
【技術分野】
【０００１】
本発明は、乳幼児用クッションに関する。
更に詳しくは、クッションの上面側に臀部又は臀部と腰部（以下「臀部等」ともいう）を納めるための窪みを有する乳幼児用クッションであって、水平方向へ並べて用いる二以上の窪み又は切欠部を有するクッションパーツで構成され、これらの組み合わせによって、窪みの大きさとクッションの長さを調整可能に設けられたものに関する。
【背景技術】
【０００２】
従来から、上面部に窪みが設けられた乳幼児用のクッションが製造されている。
前記クッションの構造は、乳幼児の臀部等が窪みに納まって丸まった体勢（乳幼児の頚椎が前弯し且つ腰椎が後弯した体勢）が乳児が母親等に抱かれた体勢に似ているため、通常の（平面の）クッションに直接寝かせるよりも乳幼児に安心感を与えるとの説に基づくものであって、例えば、特許文献１及び非特許文献１に示すような乳児用クッションが提案されている。
【０００３】
特許文献１及び非特許文献１に係る乳児用クッションは、綿布のカバーの中にポリエステル綿が充填され、クッション中央部に平面視瓢箪形の窪みが形成されている。
【先行技術文献】
【特許文献】
【０００４】
【特許文献１】意匠登録第１４０７５７２号公報
【非特許文献】
【０００５】
【非特許文献１】http://www.tokochan.jp/contents/info/info110411.shtml（商品名「天使の寝床」）
【発明の開示】
【発明が解決しようとする課題】
【０００６】
一方、乳幼児にも体格差があり、小さいサイズのクッションに大柄な乳幼児は納まらないが、前記乳児用クッションはサイズの調整ができないので、身長や臀部等のサイズ毎に製造する必要があり、在庫調整や生産効率の観点から無駄が多く、また、乳幼児は急成長するので、購入後にクッションのサイズが合わなくなるという課題があった。
【０００７】
他方、乳幼児の成長を見越して、体格よりも大きなサイズの前記乳児用クッションを購入した場合、サイズが合う身長等に成長するまでクッションが乳幼児にフィットしない（例えば、窪みと乳幼児の臀部等の大きさが合わず、空隙が生じる）ので、母親等に抱かれた体勢とならず、乳幼児に安心感を与えられないため、泣いたりぐずったりすることがある。
【０００８】
また、前記乳児用クッションは中綿が充填されているが、一般的に、充填物が綿であるクッションは長期に亘って使用すると中綿がくたびれて一定の型が付くので、これまで使用していた乳幼児が成長した際又は体格が異なる他の乳幼児に使用した際には、これらの乳幼児を適切な体勢に保持できないことも考えられる。
【０００９】
乳幼児の汗、排泄物、嘔吐物、ベビーマッサージに使用するオイル等（以下、「汗等」という）がクッション内部にまで浸透することがあるが、そのまま放置すると雑菌の繁殖を招き、不衛生であるので洗濯する必要がある。しかし、前記乳児用クッションの構造上、丸ごと洗濯する必要があり、手間が掛かる。
【００１０】
（発明の目的）
そこで、本発明の目的は、体格の違う乳幼児に合わせて、または、乳幼児の成長に応じて、クッションの長さ及び設けられた窪みのサイズ調整が可能な構造の乳幼児用クッションを提供することにある。
更に、本発明の目的は、メンテナンス性の良い前記乳幼児用クッションを提供することにある。
【課題を解決するための手段】
【００１１】
上記目的を達成するために講じた本発明の手段は次のとおりである。
（１）本発明は、クッションの上面側に、臀部又は臀部と腰部を納めるための窪みを有する乳幼児用クッションであって、前記乳幼児用クッションは、水平方向へ並べて用いる二以上のクッションパーツで構成され、前記各クッションパーツは、水平方向に配置した際に相対する箇所に窪み又は切欠部を有しており、各クッションパーツの窪み又は切欠部が相対するように水平方向に配置し、各クッションパーツの間隔を調整することにより、乳幼児用クッションの上面側に乳幼児の臀部又は臀部と腰部が適合して納まる形状及び大きさの窪みが形成される、乳幼児用クッションである。
前記乳幼児用クッションは、各クッションパーツの間隔を調整することによって、利用対象者である乳幼児の体格に合うような窪み（例えば、平面視で円形、楕円形、瓢箪形等）を形成し、該窪みに乳幼児の臀部等が納まるように寝かせて使用する。
また、乳幼児の成長により窪みのサイズが合わなくなったら、前記と同様に再調整する。
【００１２】
（２）前記（１）の発明は、乳幼児を寝かせた際に、形成された窪みに臀部等又は臀部と腰部が嵌り込んだ状態において、該乳幼児の頚椎が前弯し且つ腰椎が後弯した体勢とするために、少なくとも一のクッションパーツが他のクッションパーツよりも厚く形成されているか、または／および、寸法が大きく形成されているものであってもよい。
本発明では、厚くまたは／および寸法が大きくクッションパーツにより、乳幼児をクッションに寝かせて窪みに臀部等が嵌り込んだ状態において該乳幼児の頚椎が前弯し且つ腰椎が後弯した体勢になりやすい。
【００１３】
（３）前記（１）又は（２）の発明は、乳幼児を寝かせた際に、形成された窪みに臀部又は臀部と腰部が嵌り込んだ状態において、該乳幼児の頚椎が前弯し且つ腰椎が後弯した体勢とするために、各クッションパーツの間隔が調整できる連結手段を有するものであってもよい。
本発明では、乳幼児をクッションに寝かせて窪みに臀部等が嵌り込んだ状態において該乳幼児の頚椎が前弯し且つ腰椎が後弯した体勢となるように、連結手段によって各クッションパーツ間を連結し、間隔の調整を行う。これにより、利用対象である個々の乳幼児の体格に合うような窪みを形成することができる。
また、乳幼児の成長により窪みのサイズが合わなくなったら、前記と同様に再調整する。
【００１４】
（４）前記（１）乃至（３）の発明は、乳幼児を寝かせた際に、形成された窪みに臀部又は臀部と腰部が嵌り込んだ状態において、該乳幼児の頚椎が前弯し且つ腰椎が後弯した体勢とするために、クッションパーツが、弾性を有する部材を内包する構造であるか又は流動性固体を含んで弾力性を有する構造であって、該部材又は流動性固体が取り出し可能に設けられているものであってもよい。
本発明では、該部材又は流動性固体によって乳幼児の体型にフィットしやすく、また、使用によって乳児用クッションがくたびれて型が付くか又は汚れがクッションパーツ内にまで浸透した場合には、クッション内に内包された前記部材又は流動性固体を取り出して洗浄又は交換を行う。
【００１５】
「二以上のクッションパーツ」とは、例えば、乳幼児の身長方向に２分割されたクッションパーツが挙げられるが、これに限定するものではなく、乳幼児の身長方向に加えて幅方向にも分割された４つのクッションパーツ等とする等、適宜設定することもできる。
【００１６】
乳幼児用クッションに形成される窪みは、その形状又は大きさを特に限定するものではなく、例えば、平面視略円形、略楕円形又は瓢箪形であってもよいし、三角形、四角形等の多角形等であってもよい。
【００１７】
少なくとも一のクッションパーツが他のクッションパーツよりも「厚く形成されているか、または／および、寸法が大きく形成されている」とは、厚く形成されているか又は寸法が大きく形成されているか、のいずれか一方の場合もあるし、あるいは、厚く及び寸法が大きく形成されている場合もある、という意味で使用している。
【００１８】
「連結手段」は、例えば、紐状体が挙げられるが、これに限定するものではなく、各クッションを連結し且つ各クッションパーツの間隔を調整できるものであればよく、帯状の面ファスナー等の公知手段であってもよい。また、シート状物の上に各クッションパーツが配置され、シート状物と各クッションパーツの取着部分に面ファスナー等を配置するような態様であってもよい。
【００１９】
クッションパーツの構造材である「弾性を有する部材」は、例えば、低反発ウレタン、発泡プラスチック等の合成樹脂等の公知素材が挙げられる。
【００２０】
クッションパーツに内包される「流動性固体」は、例えば、発泡プラスチック等の合成樹脂又は天然ゴム等の天然素材により形成されたチップ、ペレット、ストロービーズ、マイクロビーズ等の公知素材が挙げられる。
【００２１】
各クッションパーツの間隔の調整については、前記のように連結手段を用いて行う場合のほか、例えば、所要の大きさの筺体又は枠体（例えば、新生児用ベッド、保育器等）の内側の空間に各クッションパーツを入れて水平方向に並ぶように配置し、各クッションパーツの間隔の調整を行うような態様であってもよく、該態様においては筺体の内壁又は枠の内側に各クッションパーツ外縁が当たって止まるので、各クッションパーツの間隔が一定以上に拡張せず、乳幼児用クッションの窪み等のサイズが一定以上にならないように保持される。
【発明の効果】
【００２２】
本発明によれば、各クッションパーツの間隔を調整することができるので、体格の違う乳幼児に合わせて、または、乳幼児の成長に応じて、クッションの長さ及び窪みのサイズ調整が可能な構造の乳幼児用クッションを提供できる。
【００２３】
少なくとも一のクッションパーツが他のクッションパーツよりも厚く形成されているか、または／および、寸法が大きく形成されているものは、乳幼児をクッションに寝かせて窪みに臀部等が嵌り込んだ状態において該乳幼児の頚椎が前弯し且つ腰椎が後弯した体勢になりやすい。
【００２４】
また、クッションパーツに内包される部材又は流動性固体が取り出し可能に設けられているものは、該部材又は流動性固体によって乳幼児の体型にフィットして、乳幼児をクッションに寝かせて窪みに臀部等が嵌り込んだ状態において該乳幼児の頚椎が前弯し且つ腰椎が後弯した体勢になりやすい。また、該部材又は流動性固体についての使用による経年劣化の際の交換、内部まで汚れが浸透した際の洗浄又は交換等のメンテナンス性が良い。
【００２５】
連結手段を備えるものは、各クッションパーツが連結されているのでまとまりがよく、また、連結手段によって、クッション使用時にける乳幼児の体勢が頚椎が前弯し且つ腰椎が後弯した状態となるように各クッションパーツ間の間隔の調整を行うことができ、利用対象である個々の乳幼児の体格に合うような窪みを形成することができる。
【図面の簡単な説明】
【００２６】
【図１】本発明に係る乳幼児用クッションの斜視図。
【図２】図１に示す乳幼児用クッションの分解斜視図。
【図３】図１に示す乳幼児用クッションに内包される各クッション本体の斜視図。
【図４】第二のクッションのクッションカバーにクッション本体が入る様子を示した説明図。
【図５】第二のクッションのクッション本体にストロービーズが充填される様子を示した説明図。
【図６】図１に示す乳幼児用クッション中心線の縦断面図。
【図７】図１に示す乳幼児用クッションの使用状態説明図。
【発明を実施するための形態】
【００２７】
本発明の実施の形態を図１〜図６に基づき更に詳細に説明する。
乳幼児用クッション１は、クッションパーツである第一のクッション１２と第二のクッション１３を備えている。
なお、前記各クッションを比較すると、各クッションの幅はほぼ同等であるが、第一のクッション１２の方が第二のクッション１３よりも厚みがあり且つ長手方向に長く形成されている（図１及び図６参照）。
【００２８】
第一のクッション１２は、クッション本体１２１、該クッション本体１２１を覆うクッションカバー１２４を備えている。
【００２９】
クッション本体１２１は、平面視四角形の布製の袋状物であって、一辺に半円弧形に形成された閉塞部１２３が形成され、対向する反対側の辺にファスナーを備えた本体開口部１２２が形成されている（図３参照）。
なお、前記本体開口部１２２から充填材であるストロービーズ２を充填するが、閉塞部１２３にはストロービーズ２は入り込まないため、クッション本体１２１は閉塞部１２３を除いて膨らんだ形状となる（図６参照）。
【００３０】
クッションカバー１２４は、平面視四角形の布製の袋状物であって、一辺にカバー開口部１２５が形成され、対向する反対側の辺の両端部に連結紐１２６が各々設けられている。該カバー開口部１２５はスナップボタン１２７を備えている。
【００３１】
第二のクッション１３は、クッション本体１３１、該クッション本体１３１を覆うクッションカバー１３４を備えている。
【００３２】
クッション本体１３１は、平面視四角形の布製の袋状物であって、一辺に半円弧形に形成された閉塞部１３３が形成され、対向する反対側の辺にファスナーを備えた本体開口部１３２が形成されている（図３参照）。
なお、前記本体開口部１３２から充填材であるストロービーズ２を充填するが（図５参照）、閉塞部１３３にはストロービーズ２は入り込まないため、クッション本体１３１は閉塞部１３３を除いて膨らんだ形状となる（図６参照）。
【００３３】
クッションカバー１３４は、平面視四角形の布製の袋状物であって、一辺にカバー開口部１３５が形成され、対向する反対側の辺の両端部に連結紐１３６が各々設けられている。該カバー開口部１３５はスナップボタン１３７を備えている（図２及び図４参照）。
【００３４】
乳幼児用クッション１は、第一のクッション１２と第二のクッション１３を連結紐１２６及び連結紐１３６によって水平方向に並べて連結することにより形成され、連結時において閉塞部１２３と閉塞部１３３が対向して平面視略円形又は略楕円形の窪み１４が形成される（図１及び図６参照）。
【００３５】
（作  用）
図１〜図７を参照して、乳幼児用クッション１の作用を説明する。
【００３６】
乳幼児用クッション１は、窪み１４に利用対象である乳幼児Ｂの臀部又は臀部と腰部が納まるように寝かせて使用する。なお、第一のクッション１２に乳幼児Ｂの上半身が、第二のクッション１３に乳幼児Ｂの下半身が位置するように寝かせる。より詳しくは、乳幼児Ｂを寝かせた際に、窪み１４に臀部等が嵌り込んだ状態において、該乳幼児Ｂの頚椎が前弯し且つ腰椎が後弯した体勢となるように寝かせる（図７参照）。
【００３７】
このとき、乳幼児Ｂと乳幼児用クッション１の長さ及び窪み１４のサイズが合わない場合は、乳幼児Ｂの体型に合わせて、クッションの長さ及び窪みのサイズ調整を行う。前記サイズ調整は、結ばれた各連結紐１２６及び各連結紐１３６を一旦解き、第一のクッション１２と第二のクッション１３の間隔を調整し、適当な位置で各連結紐１２６及び各連結紐１３６を結び直して行う。このように、連結手段が紐であるので、簡易な構造且つ安価でありながら、各クッション間の連結及び間隔調整が容易であり、微調整もしやすい。
なお、本実施の形態では、連結紐はクッションカバーに設けられているが、クッション本体に直接設けてもよく、同様に他の連結手段（例えば、面ファスナー）であっても適宜設定しうる。
【００３８】
これにより、体格の違う乳幼児に合わせて、または、乳幼児の成長に応じて、クッションの長さ及び設けられた窪みのサイズ調整が可能となるので、一のクッションを利用し続けることができ、成長に伴うクッションの買い直しの必要が無く、また、病院等においては体格の違う乳幼児に対してクッションの再利用が可能となる。
【００３９】
乳幼児用クッション１が汗等で汚れたり、破損した際には、クッションカバー１２４，１３４を外して洗濯や交換を行う。このとき、クッションカバー１２４，１３４のみを洗濯又は交換すればよいので、クッション全体を洗濯等するよりも手間が少なくて済む。
【００４０】
使用によって乳児用クッション１がくたびれて型が付くか又は汚れがクッション本体１２１，１３１内にまで浸透した場合には、ストロービーズ２を本体開口部１２２，１３２から取り出し、洗浄又は交換を行うことができるので、衛生的であり、メンテナンス性も良い。
【００４１】
本実施の形態では、各クッション本体はストロービーズが充填されているが、これに限定するものではなく、例えば、第一のクッションには低反発ウレタン製のクッション本体を用い、第二のクッションにはストロービーズが充填されたクッション本体を用いるといった、各クッションのクッション本体の構造が相違するものであってもよい。
【００４２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００４３】
１    乳幼児用クッション
１２    第一のクッション
１２１    クッション本体
１２２    本体開口部
１２３    閉塞部
１２４    クッションカバー
１２５    カバー開口部
１２６    連結紐
１２７    スナップボタン
１３    第二のクッション
１３１    クッション本体
１３２    本体開口部
１３３    閉塞部
１３４    クッションカバー
１３５    カバー開口部
１３６    連結紐
１３７    スナップボタン
１４    窪み
２    ストロービーズ
Ｂ    乳幼児
【図１】
2013153947.tif 000003
【図２】
2013153947.tif 000004
【図３】
2013153947.tif 000005
【図４】
2013153947.tif 000006
【図５】
2013153947.tif 000007
【図６】
2013153947.tif 000008
【図７】
2013153947.tif 000009